(57)【特許請求の範囲】
【請求項１】
レール部材のための支持装置であって、
第１の支持部及び第２の支持部を含む第１の支持手段を有する第１の支持フレームであって、該第１の支持部と該第２の支持部とにより支持通路が定義される、第１の支持フレームと、
第３の支持部及び第４の支持部を含む第２の支持手段を有する第２の支持フレームであって、前記第１の支持手段と該第２の支持手段とは互いに支持し合うように構成されている、第２の支持フレームと、
を含み、
レール部材は前記第１の支持フレーム及び前記第２の支持フレームのうちの一方に連結されるように構成され、前記第１の支持フレームの第１の支持部は前記第２の支持フレームの第３の支持部を支持するように構成され、前記第１の支持フレームの第２の支持部は前記第２の支持フレームの第４の支持部を支持するように構成され、
前記第２の支持フレームは、前記第３の支持部及び前記第４の支持部に延長連結された第２の側壁をさらに含み、
前記第１の支持フレームの第１の支持部は、前記第２の支持フレームの第３の支持部及び第２の側壁を支持するように構成され、前記第１の支持フレームの第２の支持部は前記第２の支持フレームの第４の支持部及び第２の側壁を支持するように構成され、
前記第１の支持フレームは、前記第１の支持フレームの第１の支持部から延びるとともに、前記第２の支持フレームの第３の支持部を支持するために前記第１の支持フレームの支持通路の外側に位置する第５の支持部と、前記第１の支持フレームの第２の支持部から延びるとともに、前記第２の支持フレームの第４の支持部を支持するために前記第１の支持フレームの支持通路の外側に位置する第６の支持部とをさらに含み、
前記第２の支持フレームの第２の側壁は、前記第１の支持フレームの第５の支持部及び第６の支持部によって支持されず、前記第５の支持部及び前記第６の支持部と平行になるように配置される、支持装置。
【請求項２】
前記第１の支持フレームは前記第５の支持部及び前記第６の支持部に延長連結された第１の側壁をさらに含む、請求項１に記載の支持装置。
【発明の詳細な説明】
【技術分野】
【０００１】
本発明はレール部材のための支持装置に関し、より具体的にはレール部材の支持能力を向上させることができる支持装置に関する。
【背景技術】
【０００２】
特許文献１には、スライドアセンブリのための調節可能なブラケットが開示されている。係る特許文献は参照のために提供される。
【０００３】
サーバースライドレールによって支持されるサーバーはより重くなっているため、レール部材の支持能力を向上させることが重要である。従って、本発明はそのために提供されるものである。
【先行技術文献】
【特許文献】
【０００４】
【特許文献１】米国特許第８０２８９６５号明細書
【発明の概要】
【発明が解決しようとする課題】
【０００５】
本発明はレール部材のための支持装置に関し、該支持装置はレール部材の支持能力を向上させることができる。
【課題を解決するための手段】
【０００６】
本発明の一実施形態によれば、レール部材のための支持装置は、第１の支持部及び第２の支持部を含む第１の支持手段を有する第１の支持フレームであって、該第１の支持部と該第２の支持部とにより支持通路が定義される、第１の支持フレームと、第３の支持部及び第４の支持部を含む第２の支持手段を有する第２の支持フレームであって、前記第１の支持手段と該第２の支持手段とは互いに支持し合うように構成されている、第２の支持フレームとを含む。レール部材は前記第１の支持フレーム及び前記第２の支持フレームのうちの一方に連結されるように構成され、前記第１の支持フレームの第１の支持部は前記第２の支持フレームの第３の支持部を支持するように構成され、前記第１の支持フレームの第２の支持部は前記第２の支持フレームの第４の支持部を支持するように構成されている。
【０００７】
前記レール部材は第１の側及び第２の側を有することが好ましい。前記レール部材の第１の側はスライドレール通路と共に形成されている。前記第１の支持フレームは前記レール部材の第２の側に連結されている。前記レール部材のスライドレール通路は、前記レール部材のスライドレール通路内で第１のレールが摺動できるように該第１のレールを収容するように構成されている。第２のレールは前記第１のレールに摺動可能に連結されている。
【０００８】
前記第１の支持フレームは、前記第１の支持部及び前記第２の支持部に延長連結された（extendedly  connected）第１の側壁をさらに含むことが好ましい。前記第２の支持フレームは、前記第３の支持部及び前記第４の支持部に延長連結された第２の側壁をさらに含む。前記第１の支持フレームの第１の側壁は、前記第２の支持フレームの第２の側壁を支持するように構成されている。
【０００９】
前記第１の支持フレームの第１の支持部は第１の部分及び第２の部分を有することが好ましい。該第１の部分は前記第１の側壁の第１の端部から延びて、該第１の部分と該第１の端部との間に第１の角度を形成する。該第２の部分は前記第１の部分から延びて、該第２の部分と前記第１の部分との間に第２の角度を形成する。前記第１の支持フレームの第２の支持部は第３の部分及び第４の部分を有する。該第３の部分は前記第１の側壁の第２の端部から延びて、該第３の部分と該第２の端部との間に第３の角度を形成する。該第４の部分は前記第３の部分から延びて、該第４の部分と前記第３の部分との間に第４の角度を形成する。前記第２の支持フレームの第３の支持部は第５の部分及び第６の部分を有する。該第５の部分は前記第２の側壁の第１の端部から延びて、該第５の部分と該第１の端部との間に第５の角度を形成する。該第６の部分は前記第５の部分から延びて、該第６の部分と前記第５の部分との間に第６の角度を形成する。前記第２の支持フレームの第４の支持部は第７の部分及び第８の部分を有する。該第７の部分は前記第２の側壁の第２の端部から延びて、該第７の部分と該第２の端部との間に第７の角度を形成する。該第８の部分は前記第７の部分から延びて、該第８の部分と前記第７の部分との間に第８の角度を形成する。
【００１０】
前記第３の角度は前記第１の角度と実質的に等しいことが好ましい。前記第４の角度は前記第２の角度と実質的に等しい。前記第７の角度は前記第５の角度と実質的に等しい。前記第８の角度は前記第６の角度と実質的に等しい。
【００１１】
前記第１の支持フレームは、前記第１の支持部及び前記第２の支持部に延長連結された第１の側壁をさらに含むことが好ましい。前記第２の支持フレームは、前記第３の支持部及び前記第４の支持部に延長連結された第２の側壁をさらに含む。前記第１の支持フレームの第１の支持部は、前記第２の支持フレームの第３の支持部及び第２の側壁の上壁部を支持するように構成されている。前記第１の支持フレームの第２の支持部は、前記第２の支持フレームの第４の支持部及び第２の側壁の下壁部を支持するように構成されている。前記第１の支持フレームの第１の側壁は前記第２の支持フレームの第３の支持部及び第４の支持部を支持するように構成されている。
【００１２】
前記第１の支持フレームは、前記第１の支持部に延長連結された第１の上壁と、前記第２の支持部に延長連結された第１の下壁をさらに含むことが好ましい。前記第２の支持フレームは、前記第３の支持部及び前記第４の支持部に延長連結された第２の側壁をさらに含む。前記第１の支持フレームの第１の上壁及び第１の下壁は前記第２の支持フレームの第２の側壁を支持するように構成されている。
【００１３】
前記第１の支持フレームは、前記第１の支持部及び前記第２の支持部に延長連結された第１の側壁をさらに含むことが好ましい。前記第２の支持フレームは、前記第３の支持部及び前記第４の支持部に延長連結された第２の側壁をさらに含む。前記第１の支持フレームの第１の側壁は、前記第２の支持フレームの第３の支持部及び第４の支持部を支持するように構成されている。前記第１の支持フレームの第１の支持部は、前記第２の支持フレームの第２の側壁の上壁部を支持するように構成されている。前記第１の支持フレームの第２の支持部は前記第２の支持フレームの第２の側壁の下壁部を支持するように構成されている。
【００１４】
前記第１の支持フレームは、前記第１の支持部及び前記第２の支持部に延長連結された第１の側壁をさらに含むことが好ましい。前記第２の支持フレームは、前記第３の支持部及び前記第４の支持部に延長連結された第２の側壁をさらに含む。前記第１の側壁は第１の屈曲部及び第２の屈曲部を有する。前記第１の支持フレームの第１の屈曲部は前記第２の支持フレームの第３の支持部を支持するように構成されている。前記第１の支持フレームの第２の屈曲部は前記第２の支持フレームの第４の支持部を支持するように構成されている。前記第１の支持フレームの第１の支持部は前記第２の支持フレームの第３の支持部及び第２の側壁を支持するように構成されている。前記第１の支持フレームの第２の支持部は前記第２の支持フレームの第４の支持部及び第２の側壁を支持するように構成されている。
【００１５】
前記第２の支持フレームは、前記第３の支持部及び前記第４の支持部に延長連結された第２の側壁をさらに含むことが好ましい。前記第１の支持フレームの第１の支持部は、前記第２の支持フレームの第３の支持部及び第２の側壁を支持するように構成されている。前記第１の支持フレームの第２の支持部は前記第２の支持フレームの第４の支持部及び第２の側壁を支持するように構成されている。前記第１の支持フレームは、前記第１の支持フレームの第１の支持部から延びるとともに、前記第２の支持フレームの第３の支持部を支持するために前記第１の支持フレームの支持通路の外側に位置する第５の支持部と、前記第１の支持フレームの第２の支持部から延びるとともに、前記第２の支持フレームの第４の支持部を支持するために前記第１の支持フレームの支持通路の外側に位置する第６の支持部とをさらに含む。
【００１６】
前記第１の支持フレームは前記第５の支持部及び前記第６の支持部に延長連結された第１の側壁をさらに含むことが好ましい。
【００１７】
前記第１の支持フレームは、前記第１の支持部及び前記第２の支持部に延長連結された第１の側壁をさらに含むことが好ましい、前記第２の支持フレームは前記第３の支持部及び前記第４の支持部に延長連結された第２の側壁をさらに含む。前記第１の支持フレームの第１の支持部は前記第２の支持フレームの第３の支持部及び第２の側壁の上壁部を支持するように構成されている。前記第１の支持フレームの第２の支持部は前記第２の支持フレームの第４の支持部及び第２の側壁の下壁部を支持するように構成されている。前記第２の支持フレームの第３の支持部及び第４の支持部のそれぞれは、前記第１の支持フレームの第１の側壁から離れる方に延びた屈曲部と共に形成された端部を有する。
【００１８】
前記第１の支持フレームは、第１の閉鎖支持構造を形成するために前記第１の支持部の２つの端部及び前記第２の支持部の２つの端部に延長連結された第１の側壁をさらに含むことが好ましい。前記第２の支持フレームは、第２の閉鎖支持構造を形成するために前記第３の支持部の２つの端部及び前記第４の支持部の２つの端部に延長連結された第２の側壁をさらに含む。該第１の閉鎖支持構造と該第２の閉鎖支持構造とは互いに支持し合うように構成されている。
【００１９】
前記第１の支持フレームの第１の支持部は前記第１の側壁の第１の端部から延びて、前記第１の支持部と該第１の端部との間に第１の角度を形成することが好ましい。前記第２の支持部は前記第１の側壁の第２の端部から延びて、前記第２の支持部と該第２の端部との間に第２の角度を形成する。該第１の角度は該第２の角度と実質的に等しく、鋭角として構成されている。
【００２０】
前記第３の角度は前記第１の角度と実質的に等しいことが好ましい。前記第７の角度は前記第５の角度と実質的に等しい。前記第１の角度、前記第３の角度、前記第５の角度及び前記第７の角度のそれぞれは鋭角として構成される。前記第４の角度は前記第２の角度と実質的に等しい。前記第８の角度は前記第６の角度と実質的に等しい。前記第２の角度、前記第４の角度、前記第６の角度及び前記第８の角度のそれぞれは約９０°である。
【００２１】
前記第３の角度は前記第１の角度と実質的に等しいことが好ましい。前記第７の角度は前記第５の角度と実質的に等しい。前記第１の角度、前記第３の角度、前記第５の角度及び前記第７の角度のそれぞれは鋭角として構成されている。前記第４の角度は前記第２の角度と実質的に等しい。前記第８の角度は前記第６の角度と実質的に等しい。前記第２の角度、前記第４の角度、前記第６の角度及び前記第８の角度のそれぞれは鈍角として構成されている。
【００２２】
前記第１の支持フレームの第１の支持部及び第２の支持部は、前記第２の支持フレームの第３の支持部及び第４の支持部の湾曲した支持輪郭のそれぞれに対応するとともに接触する湾曲した支持輪郭を有することが好ましい。
【００２３】
前記第１の支持フレームの第１の支持部は第１の転換部（turning  section）及び第２の転換部を有することが好ましい。該第１の転換部は前記第１の側壁の第１の端部から延びて、前記第１の転換部と該第１の端部との間に第１の角度を形成する。該第２の転換部は前記第１の転換部から延びて、前記第２の転換部と前記第１の転換部との間に第２の角度を形成する。該第１の角度は鋭角として構成され、該第２の角度は鈍角として構成されている。前記第２の支持フレームの第３の支持部は第３の転換部及び第４の転換部を有する。該第３の転換部は前記第２の側壁の第１の端部から延びて、前記第３の転換部と該第１の端部との間に第３の角度を形成する。該第４の転換部は前記第３の転換部から延びて、前記第４の転換部と前記第３の転換部との間に第４の角度を形成する。該第３の角度は鋭角として構成され、該第４の角度は鈍角として構成される。
【００２４】
前記第１の支持フレームの第１の支持部及び第２の支持部は、前記第２の支持フレームの第３の支持部及び第４の支持部のロール状の支持輪郭（rolled-shaped  supporting  contour）のそれぞれに対応するとともに接触するロール状の支持輪郭を有することが好ましい。
【００２５】
前記第２の支持フレームの第３の支持部及び第４の支持部は前記支持通路の外側に位置するとともに、前記第１の支持フレームの第１の支持部及び第２の支持部のそれぞれに接触して互いに支持し合うように構成されていることが好ましい。
【００２６】
様々な図面に図示する下記の好ましい実施形態の詳細な説明を読み終えた後、本発明の上記の目的及び他の目的が当業者に間違いなく明らかになる。
【図面の簡単な説明】
【００２７】
【図１】図１は、本発明の一実施形態に係るスライドレールアセンブリの分解図である。
【図２】図２は、本発明の一実施形態に係るスライドレールアセンブリを示す図である。
【図３】図３は、本発明の一実施形態に係る、ラックに取り付けられたスライドレールアセンブリを示す図である。
【図４】図４は、本発明の第１の実施形態に係るスライドレールアセンブリの断面図である。
【図５】図５は、本発明の第２の実施形態に係る、第１の支持フレームと第２の支持フレームとの間の支持構成を示す図である。
【図６】図６は、本発明の第３の実施形態に係る、第１の支持フレームと第２の支持フレームとの間の支持構成を示す図である。
【図７】図７は、本発明の第４の実施形態に係る、第１の支持フレームと第２の支持フレームとの間の支持構成を示す図である。
【図８】図８は、本発明の第５の実施形態に係る、第１の支持フレームと第２の支持フレームとの間の支持構成を示す図である。
【図９】図９は、本発明の第６の実施形態に係る、第１の支持フレームと第２の支持フレームとの間の支持構成を示す図である。
【図１０】図１０は、本発明の第７の実施形態に係る、第１の支持フレームと第２の支持フレームとの間の支持構成を示す図である。
【図１１】図１１は、本発明の第８の実施形態に係る、第１の支持フレームと第２の支持フレームとの間の支持構成を示す図である。
【図１２】図１２は、本発明の第９の実施形態に係る、第１の支持フレームと第２の支持フレームとの間の支持構成を示す図である。
【図１３】図１３は、本発明の第１０の実施形態に係る、第１の支持フレームと第２の支持フレームとの間の支持構成を示す図である。
【図１４】図１４は、本発明の第１１の実施形態に係る、第１の支持フレームと第２の支持フレームとの間の支持構成を示す図である。
【図１５】図１５は、本発明の第１２の実施形態に係る、第１の支持フレームと第２の支持フレームとの間の支持構成を示す図である。
【図１６】図１６は、本発明の第１３の実施形態に係る、第１の支持フレームと第２の支持フレームとの間の支持構成を示す図である。
【図１７】図１７は、本発明の第１４の実施形態に係る、第１の支持フレームと第２の支持フレームとの間の支持構成を示す図である。
【図１８】図１８は、本発明の第１５の実施形態に係る、第１の支持フレームと第２の支持フレームとの間の支持構成を示す図である。
【図１９】図１９は、本発明の第１６の実施形態に係る、第１の支持フレームと第２の支持フレームとの間の支持構成を示す図である。
【図２０】図２０は、本発明の第１７の実施形態に係る、第１の支持フレームと第２の支持フレームとの間の支持構成を示す図である。
【図２１】図２１は、本発明の第１８の実施形態に係る、第１の支持フレームと第２の支持フレームとの間の支持構成を示す図である。
【図２２】図２２は、本発明の第１９の実施形態に係る、第１の支持フレームと第２の支持フレームとの間の支持構成を示す図である。
【図２３】図２３は、本発明の第２０の実施形態に係る、第１の支持フレームと第２の支持フレームとの間の支持構成を示す図である。
【図２４】図２４は、本発明の第２１の実施形態に係る、第１の支持フレームと第２の支持フレームとの間の支持構成を示す図である。
【図２５】図２５は、本発明の第２２の実施形態に係る、第１の支持フレームと第２の支持フレームとの間の支持構成を示す図である。
【図２６】図２６は、本発明の第２３の実施形態に係る、第１の支持フレームと第２の支持フレームとの間の支持構成を示す図である。
【図２７】図２７は、本発明の第２４の実施形態に係る、第１の支持フレームと第２の支持フレームとの間の支持構成を示す図である。
【発明を実施するための形態】
【００２８】
図１〜図３は、本発明の一実施形態に係る、ラック３２に取り付けられるように構成されたスライドレールアセンブリ３０を示す図である。ラック３２は第１のポスト３４ａ及び第２のポスト３４ｂを含む。スライドレールアセンブリ３０は、第１のブラケット３６を通じてラック３２の第１のポスト３４ａに取り付けられるとともに、第２のブラケット３８を通じて第２のポスト３４ｂに取り付けられる。スライドレールアセンブリ３０はレール部材４０及び支持装置を含む。支持装置は第１の支持フレーム４２及び第２の支持フレーム４４を含む。第１の支持フレーム４２はレール部材４０に連結される（例えば固定連結）。
【００２９】
図４は、本発明の一実施形態に係るスライドレールアセンブリ３０の断面図である。第１の支持フレーム４２は、第１の支持部４６及び第２の支持部４８を含む第１の支持手段を有する。第１の支持部４６及び第２の支持部４８によって支持通路５０が定義される。第１の支持部４６にある第１の支持位置Ｐ１と第２の支持部４８にある第２の支持位置Ｐ２との間に第１の間隙Ｇ１が定義され、第１の支持部４６にある第３の支持位置Ｐ３と第２の支持部４８にある第４の支持位置Ｐ４との間に第２の間隙Ｇ２が定義されている。第２の間隙Ｇ２は第１の間隙Ｇ１とは異なる。そのような構成により、第１の支持フレーム４２及び第２の支持フレーム４４は互いを強固に支持し合うことができ、第２の支持フレーム４４は第２の間隙Ｇ２を通じて第１の支持フレーム４２から取り外すことができない。
【００３０】
第２の支持フレーム４４は、第３の支持部５２及び第４の支持部５４を含む第２の支持手段を有する。第１の支持フレーム４２の第１の支持部４６は第２の支持フレーム４４の第３の支持部５２を支持するように構成され、第１の支持フレーム４２の第２の支持部４６は第２の支持フレーム４８の第４の支持部５４を支持するように構成されている。
【００３１】
好ましい実施形態では、レール部材４０は第１の側５６ａと第２の側５６ｂとを有する。レール部材４０の第１の側５６ａはスライドレール通路５８と共に形成されている。第１の支持フレーム４２はレール部材４０の第２の側５６ｂに連結されている。スライドレールアセンブリ３０は、レール部材４０のスライドレール通路５８内を摺動可能な第１のレール６０と、第１のレール６０に摺動可能に連結された第２のレール６２とをさらに含む。
【００３２】
好ましい実施形態では、第１の支持フレーム４２は、第１の支持部４６及び第２の支持部４８に延長連結された第１の側壁６４をさらに含む。第２の支持フレーム４４は、第３の支持部５２及び第４の支持部５４に延長連結された第２の側壁６６をさらに含む。第１の支持フレーム４２の第１の側壁６４は、第２の支持フレーム４４の第２の側壁６６を支持するように構成されている。
【００３３】
好ましい実施形態では、第１の支持フレーム４２の第１の支持部４６は第１の部分６８及び第２の部分７０を有する。第１の部分６８は第１の側壁６４の第１の端部から延びてその間に第１の角度θ１を形成する。第２の部分７０は第１の部分６８から延びてその間に第２の角度θ２を形成する。第１の支持フレーム４２の第２の支持部４８は第３の部分７２及び第２の部分７４を有する。第３の部分７２は第１の側壁６４の第２の端部から延びてその間に第３の角度θ３を形成する。第４の部分７４は第３の部分７２から延びてその間に第４の角度θ４を形成する。第２の支持フレーム４４の第３の支持部５２は第５の部分７６及び第６の部分７８を有する。第５の部分７６は第２の側壁６６の第１の端部から延びてその間に第５の角度θ５を形成する。第６の部分７８は第５の部分７６から延びてその間に第６の角度θ６を形成する。第２の支持フレーム４４の第４の支持部５４は第７の部分８０及び第８の部分８２を有する。第７の部分８０は第２の側壁６６の第２の端部から延びてその間に第７の角度θ７を形成する。第８の部分８２は第７の部分８０から延びてその間に第８の角度θ８を形成する。即ち、支持部４６、４８、５２、５４の各部分は、同じ支持部の隣接部分にもたれるように折り曲げられることなく所定の角度曲げられている。
【００３４】
好ましい実施形態では、第３の角度θ３は第１の角度θ１と実質的に等しく、第４の角度θ４は第２の角度θ２と実質的に等しく、第７の角度θ７は第５の角度θ５と実質的に等しく、第８の角度θ８は第６の角度θ６と実質的に等しい。角度θ１〜θ８のそれぞれは約９０°である。他方、角度θ１〜θ８の少なくとも１つは、下記の実施形態で説明するように、鈍角又は鋭角等の非鉛直角として構成可能である。
【００３５】
図５は、本発明の第２の実施形態に係る、第１の支持フレーム２００と第２の支持フレーム２０２との間の支持構成を示す図である。第１の支持フレーム２００の構成は、第１の実施形態の第１の支持フレーム４２の構成と同一である。第１の支持フレーム２００は、第１の支持部２０６と、第２の支持部２０８と、第１の支持部２０６及び第２の支持部２０８に延長連結された第１の側壁２０４とを含む第１の支持手段を有する。第２の支持フレーム２０２は、第３の支持部２１２と、第４の支持部２１４と、第３の支持部２１２及び第４の支持部２１４に延長連結された第２の側壁２１０とを含む第２の支持手段を有する。第１の支持フレーム２００の第１の支持部２０６は、第２の支持フレーム２０２の第３の支持部２１２及び第２の側壁２１０の上壁部を支持するように構成されている。第１の支持フレーム２００の第２の支持部２０８は、第２の支持フレーム２０２の第４の支持部２１４及び第２の側壁２１０の下壁部を支持するように構成されている。第１の支持フレーム２００の第１の側壁２０４は、第２の支持フレーム２０２の第３の支持部２１２及び第４の支持部２１４を支持するように構成されている。
【００３６】
図６は、本発明の第３の実施形態に係る、第１の支持フレーム３００と第２の支持フレーム３０２との間の支持構成を示す図である。第１の支持フレーム３００は、第１の支持部３０６と、第２の支持部３１０と、第１の支持部３０６に延長連結された第１の上壁３０４と、第２の支持部３１０に延長連結された第１の下壁３０８とを含む第１の支持手段を有する。第２の支持フレーム３０２は、第３の支持部３１４と、第４の支持部３１６と、第３の支持部３１４及び第４の支持部３１６に延長連結された第２の側壁３１２と含む第２の支持手段を有する。第１の支持フレーム３００の第１の上壁３０４及び第１の下壁３０８は、第２の支持フレーム３０２の第２の側壁３１２を支持するように構成されている。
【００３７】
図７は、本発明の第４の実施形態に係る、第１の支持フレーム４００と第２の支持フレーム４０２との間の支持構成を示す図である。第１の支持フレーム４００は、第１の支持部４０６と、第２の支持部４０８と、第１の支持部４０６及び第２の支持部４０８に延長連結された第１の側壁４０４とを含む第１の支持手段を有する。第２の支持フレーム４０２は、第３の支持部４１２と、第４の支持部４１４と、第３の支持部４１２及び第４の支持部４１４に延長連結された第２の側壁４１０と含む第２の支持手段を有する。第１の支持フレーム４００の第１の側壁４０４は、第２の支持フレーム４０２の第３の支持部４１２及び第４の支持部４１４を支持するように構成されている。第１の支持フレーム４００の第１の支持部４０６は、第２の支持フレーム４０２の第２の側壁４１０の上壁部を支持するように構成されている。第１の支持フレーム４００の第２の支持部４０８は、第２の支持フレーム４０２の第２の側壁４１０の下壁部を支持するように構成されている。
【００３８】
図８は、本発明の第５の実施形態に係る、第１の支持フレーム５００と第２の支持フレーム５０２との間の支持構成を示す図である。第１の支持フレーム５００は、第１の支持部５０６と、第２の支持部５０８と、第１の支持部５０６及び第２の支持部５０８に延長連結された第１の側壁５０４とを含む第１の支持手段を有する。第２の支持フレーム５０２は、第３の支持部５１２と、第４の支持部５１４と、第３の支持部５１２及び第４の支持部５１４に延長連結された第２の側壁５１０と含む第２の支持手段を有する。第１の側壁５０４は第１の屈曲部５１６及び第２の屈曲部５１８を有する。第１の支持フレーム５００の第１の屈曲部５１６は、第２の支持フレーム５０２の第３の支持部５１２を支持するように構成されている。第１の支持フレーム５００の第２の屈曲部５１８は、第２の支持フレーム５０２の第４の支持部５１４を支持するように構成されている。第１の支持フレーム５００の第１の支持部５０６は、第２の支持フレーム５０２の第３の支持部５１２及び第２の側壁５１０を支持するように構成されている。第１の支持フレーム５００の第２の支持部５０８は、第２の支持フレーム５０２の第４の支持部５１４及び第２の側壁５１０を支持するように構成されている。
【００３９】
図９は、本発明の第６の実施形態に係る、第１の支持フレーム６００と第２の支持フレーム６０２との間の支持構成を示す図である。第１の支持フレーム６００は、第１の支持部６０６及び第２の支持部６０８を含む第１の支持手段を有する。第２の支持フレーム６０２は、第３の支持部６１２と、第４の支持部６１４と、第３の支持部６１２及び第４の支持部６１４に延長連結された第２の側壁６１０と含む第２の支持手段を有する。第１の支持フレーム６００の第１の支持部６０６は、第２の支持フレーム６０２の第３の支持部６１２及び第２の側壁６１０を支持するように構成されている。第１の支持フレーム６００の第２の支持部６０８は、第２の支持フレーム６０２の第４の支持部６１４及び第２の側壁６１０を支持するように構成されている。本実施形態では、第１の支持手段が第５の支持部６１６及び第６の支持部６１８をさらに含む。第５の支持部６１６は第１の支持フレーム６００の第１の支持部６０６から延び、第２の支持フレーム６０２の第３の支持部６１２を支持するために第１の支持フレーム６００の支持通路６２０の外側に位置している。第６の支持部６１８は第１の支持フレーム６００の第２の支持部６０８から延び、第２の支持フレーム６０２の第４の支持部６１４を支持するために第１の支持フレーム６００の支持通路６２０の外側に位置している。
【００４０】
図１０は、本発明の第７の実施形態に係る、第１の支持フレーム７００と第２の支持フレーム７０２との間の支持構成を示す図である。第１の支持フレーム７００は、第１の支持部７０６及び第２の支持部７０８を含む第１の支持手段を有する。第２の支持フレーム７０２は、第３の支持部７１２と、第４の支持部７１４と、第３の支持部７１２及び第４の支持部７１４に延長連結された第２の側壁７１０と含む第２の支持手段を有する。第１の支持フレーム７００の第１の支持部７０６は、第２の支持フレーム７０２の第３の支持部７１２及び第２の側壁７１０を支持するように構成されている。第１の支持フレーム７００の第２の支持部７０８は、第２の支持フレーム７０２の第４の支持部７１４及び第２の側壁７１０を支持するように構成されている。本実施形態では、第１の支持手段は、第５の支持部７１６と、第６の支持部７１８と、第５の支持部７１６及び第６の支持部７１８に延長連結された第１の側壁７０４とをさらに含む。第５の支持部７１６は第１の支持フレーム７００の第１の支持部７０６から延び、第２の支持フレーム７０２の第３の支持部７１２を支持するために第１の支持フレーム７００の支持通路７２０の外側に位置している。第６の支持部７１８は第１の支持フレーム７００の第２の支持部７０８から延び、第２の支持フレーム７０２の第４の支持部７１４を支持するために第１の支持フレーム７００の支持通路７２０の外側に位置している。
【００４１】
図１１は、本発明の第８の実施形態に係る、第１の支持フレーム８００と第２の支持フレーム８０２との間の支持構成を示す図である。第１の支持フレーム８００は、第１の支持部８０６と、第２の支持部８０８と、第１の支持部８０６及び第２の支持部８０８に延長連結された第１の側壁８０４とを含む第１の支持手段を有する。第２の支持フレーム８０２は、第３の支持部８１２と、第４の支持部８１４と、第３の支持部８１２及び第４の支持部８１４に延長連結された第２の側壁８１０と含む第２の支持手段を有する。第１の側壁８０４は第１の屈曲部８１６及び第２の屈曲部８１８を有する。第１の支持フレーム８００の第１の屈曲部８１６は第２の支持フレーム８０２の第３の支持部８１２を支持するように構成されている。第１の支持フレーム８００の第２の屈曲部８１８は、第２の支持フレーム８０２の第４の支持部８１４を支持するように構成されている。第１の支持フレーム８００の第１の支持部８０６は、第２の支持フレーム８０２の第３の支持部８１２及び第２の側壁８１０を支持するように構成されている。第１の支持フレーム８００の第２の支持部８０８は第２の支持フレーム８０２の第４の支持部８１４及び第２の側壁８１０を支持するように構成されている。
【００４２】
図１２は、本発明の第９の実施形態に係る、第１の支持フレーム９００と第２の支持フレーム９０２との間の支持構成を示す図である。第１の支持フレーム９００は、第１の支持部９０６と、第２の支持部９０８と、第１の支持部９０６及び第２の支持部９０８に延長連結された第１の側壁９０４とを含む第１の支持手段を有する。第２の支持フレーム９０２は、第３の支持部９１２と、第４の支持部９１４と、第３の支持部９１２及び第４の支持部９１４に延長連結された第２の側壁９１０と含む第２の支持手段を有する。第１の支持フレーム９００の第１の支持部９０６は、第２の支持フレーム９０２の第３の支持部９１２及び第２の側壁９１０の上壁部を支持するように構成されている。第１の支持フレーム９００の第２の支持部９０８は、第２の支持フレーム９０２の第４の支持部９１４及び第２の側壁９１０の下壁部を支持するように構成されている。第２の支持フレーム９０２の第３の支持部９１２及び第４の支持部９１４のそれぞれは、第１の支持フレーム９００の第１の側壁９０４から離れる方に延びた屈曲部９１６、９１８と共に形成された端部を有する。
【００４３】
図１３は、本発明の第１０の実施形態に係る、第１の支持フレーム１０００と第２の支持フレーム１００２との間の支持構成を示す図である。第１の支持フレーム１０００は、第１の閉鎖支持構造（例えば、矩形の閉鎖支持構造）を形成するために、第１の支持部１００６と、第２の支持部１００８と、第１の支持部１００６の２つの端部及び第２の支持部１００８の２つの端部に延長連結された第１の側壁１００４とを含む第１の支持手段を有する。第２の支持フレーム１００２は、第２の閉鎖支持構造を形成するために、第３の支持部１０１２と、第４の支持部１０１４と、第３の支持部１０１２の２つの端部及び第４の支持部１０１４の２つの端部に延長連結された第２の側壁１０１０とを含む第２の支持手段を有する。第１の閉鎖支持構造と第２の閉鎖支持構造とは互いに支持し合うように構成されている。
【００４４】
図１４は、本発明の第１１の実施形態に係る、第１の支持フレーム１１００と第２の支持フレーム１１０２との間の支持構成を示す図である。本実施形態の構成は、図１３に示す第１０の実施形態の構成と同様である。第１の支持フレーム１１００は第１の閉鎖支持構造（例えば、円形の閉鎖支持構造）を形成する。第２の支持フレーム１１０２は第２の閉鎖支持構造を形成する。第１の閉鎖支持構造と第２の閉鎖支持構造とは互いに支持し合うように構成されている。
【００４５】
図１５は、本発明の第１２の実施形態に係る、第１の支持フレーム１２００と第２の支持フレーム１２０２との間の支持構成を示す図である。本実施形態の構成は、図１３に示す第１０の実施形態の構成と同様である。第１の支持フレーム１２００は第１の閉鎖支持構造（例えば、２つの対応する端部に湾曲した輪郭を有する閉鎖支持構造）を形成する。第２の支持フレーム１２０２は第２の閉鎖支持構造を形成する。第１の閉鎖支持構造と第２の閉鎖支持構造とは互いに支持し合うように構成されている。
【００４６】
図１６は、本発明の第１３の実施形態に係る、第１の支持フレーム１３００と第２の支持フレーム１３０２との間の支持構成を示す図である。第１の支持フレーム１３００は、第１の支持部１３０６と、第２の支持部１３０８と、第１の支持部１３０６及び第２の支持部１３０８に延長連結された第１の側壁１３０４とを含む第１の支持手段を有する。第２の支持フレーム１３０２は、第３の支持部１３１２と、第４の支持部１３１４と、第３の支持部１３１２及び第４の支持部１３１４に延長連結された第２の側壁１３１０と含む第２の支持手段を有する。第１の支持フレーム１３００の第１の支持部１３０６は第２の支持フレーム１３０２の第３の支持部１３１２を支持するように構成されている。第１の支持フレーム１３００の第２の支持部１３０８は、第２の支持フレーム１３０２の第４の支持部１３１４を支持するように構成されている。第１の支持部１３０６は、第１の側壁１３０４の第１の端部から延びてその間に第１の角度θ１を形成する。第２の支持部１３０８は、第１の側壁１３０４の第２の端部から延びてその間に第２の角度θ２を形成する。第１の角度θ１は第２の角度θ２と実質的に同じであり、鋭角として構成される。第１の支持フレーム１３００の第１の側壁１３０４及び第２の支持フレーム１３０２の第２の側壁１３１０は直接接触せず支持し合うこともない。
【００４７】
図１７は、本発明の第１４の実施形態に係る、第１の支持フレーム１４００と第２の支持フレーム１４０２との間の支持構成を示す図である。第１の支持フレーム１４００は、第１の支持部１４０６と、第２の支持部１４０８と、第１の支持部１４０６及び第２の支持部１４０８に延長連結された第１の側壁１４０４とを含む第１の支持手段を有する。第２の支持フレーム１４０２は、第３の支持部１４１２と、第４の支持部１４１４と、第３の支持部１４１２及び第４の支持部１４１４に延長連結された第２の側壁１４１０と含む第２の支持手段を有する。第１の支持フレーム１４００の第１の支持部１４０６は第２の支持フレーム１４０２の第３の支持部１４１２を支持するように構成されている。第１の支持フレーム１４００の第２の支持部１４０８は、第２の支持フレーム１４０２の第４の支持部１４１４を支持するように構成されている。それに加えて、第１の支持フレーム１４００の第１の側壁１４０４は第２の支持フレーム１４０２の第２の側壁１４１０を支持するように構成されている。
【００４８】
図１８は、本発明の第１５の実施形態に係る、第１の支持フレーム１５００と第２の支持フレーム１５０２との間の支持構成を示す図である。第１の支持フレーム１５００は、第１の支持部１５０６と、第２の支持部１５０８と、第１の支持部１５０６及び第２の支持部１５０８に延長連結された第１の側壁１５０４とを含む第１の支持手段を有する。第２の支持フレーム１５０２は、第３の支持部１５１２と、第４の支持部１５１４と、第３の支持部１５１２及び第４の支持部１５１４に延長連結された第２の側壁１５１０と含む第２の支持手段を有する。第１の支持フレーム１５００の第１の支持部１５０６は第２の支持フレーム１５０２の第３の支持部１５１２を支持するように構成されている。第１の支持フレーム１５００の第２の支持部１５０８は、第２の支持フレーム１５０２の第４の支持部１５１４を支持するように構成されている。それに加えて、第１の支持フレーム１５００の第１の側壁１５０４は第２の支持フレーム１５０２の第２の側壁１５１０を支持するように構成されている。第１の支持フレーム１５００の第１の支持部１５０６は第１の部分１５１６及び第２の部分１５１８を有する。第１の部分１５１６は第１の側壁１５０４の第１の端部から延びてその間に第１の角度θ１を形成する。第２の部分１５１８は第１の部分１５１６から延びてその間に第２の角度θ２を形成する。第１の支持フレーム１５００の第２の支持部１５０８は第３の部分１５２０及び第４の部分１５２２を有する。第３の部分１５２０は第１の側壁１５０４の第２の端部から延びてその間に第３の角度θ３を形成する。第４の部分１５２２は第３の部分１５２０から延びてその間に第４の角度θ４を形成する。第２の支持フレーム１５０２の第３の支持部１５１２は第５の部分１５２４及び第６の部分１５２６を有する。第５の部分１５２４は第２の側壁１５１０の第１の端部から延びてその間に第５の角度θ５を形成する。第６の部分１５２６は第５の部分１５２４から延びてその間に第６の角度θ６を形成する。第２の支持フレーム１５０２の第４の支持部１５１４は第７の部分１５２８及び第８の部分１５３０を有する。第７の部分１５２８は第２の側壁１５１０の第２の端部から延びてその間に第７の角度θ７を形成する。第８の部分１５３０は第７の部分１５２８から延びてその間に第８の角度θ８を形成する。第３の角度θ３は第１の角度θ１と実質的に等しく、第７の角度θ７は第５の角度θ５と実質的に等しいことが好ましい。第１の角度θ１、第３の角度θ３、第５の角度θ５及び第７の角度θ７のそれぞれは鋭角として構成されている。第４の角度θ４は第２の角度θ２と実質的に等しい。第８の角度θ８は第６の角度θ６と実質的に等しい。第２の角度θ２、第４の角度θ４、第６の角度θ６及び第８の角度θ８のそれぞれは約９０°である。
【００４９】
図１９は、本発明の第１６の実施形態に係る、第１の支持フレーム１６００と第２の支持フレーム１６０２との間の支持構成を示す図である。本実施形態の構成は、図１８に示す第１５の実施形態の構成と同様である。本実施形態の第１の支持フレーム１６００の第１の支持部１６０６及び第２の支持部１６０８の屈曲角並びに第２の支持フレーム１６０２の第３の支持部１６１２及び第４の支持部１６１４の屈曲角は、第１５の実施形態のものとは異なる。具体的には、第２の角度θ２、第４の角度θ４、第６の角度θ６及び第８の角度θ８のそれぞれは鈍角として構成されている。
【００５０】
図２０は、本発明の第１７の実施形態に係る、第１の支持フレーム１７００と第２の支持フレーム１７０２との間の支持構成を示す図である。本実施形態の構成は、図１８に示す第１５の実施形態の構成と同様である。２つの実施形態の主な違いは、第１の支持フレーム１７００の第１の支持部１７０６及び第２の支持部１７０８が、第２の支持フレーム１７０２の第３の支持部１７１２及び第４の支持部１７１４の湾曲した支持輪郭のそれぞれに対応するともに接触する湾曲した支持輪郭を有する点である。
【００５１】
図２１は、本発明の第１８の実施形態に係る、第１の支持フレーム１８００と第２の支持フレーム１８０２との間の支持構造を示す図である。本実施形態の構成は、図２０に示す第１７の実施形態の構成と同様である。本実施形態の構成は、図２０に示す第１７の実施形態の構成と同様である。２つの実施形態の主な違いは、第１の支持フレーム１８００の第１の支持部１８０６及び第２の支持部１８０８が、第２の支持フレーム１８０２の第３の支持部１８１２及び第４の支持部１８１４の別の湾曲した支持輪郭のそれぞれに対応するともに接触する別の湾曲した支持輪郭を有し、本実施形態の第１の支持フレーム１８００及び第２の支持フレーム１８０２の形状は第１７の実施形態のものと異なる点である。
【００５２】
図２２は、本発明の第１９の実施形態に係る、第１の支持フレーム１９００と第２の支持フレーム１９０２との間の支持構造を示す図である。第１の支持フレーム１９００は、第１の支持部１９０６及び第２の支持部１９０８を含む第１の支持手段を有する。第１の支持部１９０６は第１の転換部１９１６及び第２の方向転換部１９１８を有する。第１の転換部１９１６は第１の側壁１９０４の第１の端部から延びてその間に第１の角度θ１を形成する。第２の転換部１９１８は第１の転換部１９１６から延びてその間に第２の角度θ２を形成する。第１の角度θ１は鋭角として構成され、第２の角度θ２は鈍角として構成されている。他方、第２の支持フレーム１９０２は、第３の支持部１９１２及び第４の支持部１９１４を含む第２の支持手段を有する。第３の支持部１９１２は第３の転換部１９２０及び第４の転換部１９２２を有する。第３の転換部１９２０は第２の側壁１９１０の第１の端部から延びてその間に第３の角度θ３を形成する。第４の転換部１９２２は第３の転換部１９２０から延びてその間に第４の角度θ４を形成する。第３の角度θ３は鋭角として構成され、第４の角度θ４は鈍角として構成されている。第１の支持フレーム１９００及び第２の支持フレーム１９０２の他方側（第２の支持部１９０８及び第４の支持部１９１４）の支持構成は、上記の構成と対称であるため、さらなる説明は省略する。
【００５３】
図２３は、本発明の第２０の実施形態に係る、第１の支持フレーム２０００と第２の支持フレーム２００２との間の支持構造を示す図である。第１の支持フレーム２０００は、第１の支持部２００６及び第２の支持部２００８を含む第１の支持手段を有する。第２の支持フレーム２００２は、第３の支持部２０１２及び第４の支持部２０１４を含む第２の支持手段を有する。第１の支持フレーム２０００の第１の支持手段はロール状の支持輪郭を有し、該輪郭は、第２の支持フレーム２００２の第２の支持手段のロール状の支持輪郭と対応するとともに接触する。
【００５４】
図２４は、本発明の第２１の実施形態に係る、第１の支持フレーム２１００と第２の支持フレーム２１０２との間の支持構成を示す図である。本実施形態の構成は、図２３に示す第２０の実施形態のものと同様である。第１の支持フレーム２１００の第１の支持部２１０６及び第２の支持部２１０８は、第２の支持フレーム２１０２の第３の支持部２１１２及び第４の支持部２１１４のロール状の支持輪郭に対応するとともに接触するロール状の支持輪郭を有する。本実施形態と第２０の実施形態との主な違いは、第１の支持フレーム２１００の第１の側壁２１０４及び第２の支持フレーム２１０２の第２の側壁２１１０は互いに支持し合うように構成されていない部分を有する点である。
【００５５】
図２５は、本発明の第２２の実施形態に係る、第１の支持フレーム２２００と第２の支持フレーム２２０２との間の支持構成を示す図である。第１の支持フレーム２２００は、第１の支持部２２０６と、第２の支持部２２０８と、第１の支持部２２０６及び第２の支持部２２０８に延長連結された第１の側壁２２０４とを含む第１の支持手段を有する。第２の支持フレーム２２０２は、第３の支持部２２１２と、第４の支持部２２１４と、第３の支持部２２１２及び第４の支持部２２１４に延長連結された第２の側壁２２１０とを含む第２の支持手段を有する。第１の支持フレーム２２００の第１の支持部２２０６は、第２の支持フレーム２２０２の第３の支持部２２１２を支持するように構成されている。第１の支持フレーム２２００の第２の支持部２２０８は、第２の支持フレーム２２０２の第４の支持部２２１４を支持するように構成されている。本実施形態では、第２の支持フレーム２２０２の第３の支持部２２１２及び第４の支持部２２１４が、第１の支持フレーム２２００の支持通路２２１６の外側に位置している。第２の支持部フレーム２２０２の第３の支持部２２１２及び第１の支持フレーム２２００の第１の支持部２２０６は互いに支持し合うように構成され、第２の支持部フレーム２２０２の第４の支持部２２１４及び第１の支持フレーム２２００の第２の支持部２２０８は互いに支持し合うように構成されている。
【００５６】
図２６は、本発明の第２３の実施形態に係る、第１の支持フレーム２３００と第２の支持フレーム２３０２との間の支持構成を示す図である。第１の支持フレーム２３００は、第１の支持部２３０６と、第２の支持部２３０８と、第１の支持部２３０６及び第２の支持部２３０８に延長連結された第１の側壁２３０４とを含む第１の支持手段を有する。第２の支持フレーム２３０２は、第３の支持部２３１２と、第４の支持部２３１４と、第３の支持部２３１２及び第４の支持部２３１４に延長連結された第２の側壁２３１０とを含む第２の支持手段を有する。第１の支持フレーム２３００の第１の支持部２３０６は、第２の支持フレーム２３０２の第３の支持部２３１２を支持するように構成されている。第１の支持フレーム２３００の第２の支持部２３０８は、第２の支持フレーム２３０２の第４の支持部２３１４を支持するように構成されている。それに加えて、図２７は、本発明の第２４の実施形態に係る、第１の支持フレーム２４００と第２の支持フレーム２４０２との間の支持構成を示す図である。本実施形態の構成は、第２３の実施形態の構成と同様である。２つの実施形態の主な違いは、２つのフレームの取り付け位置が異なる点である。
【００５７】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００５８】
３０  スライドレールアセンブリ
３２  ラック
３４ａ  第１のポスト
３４ｂ  第２のポスト
３６  第１のブラケット
３８  第２のブラケット
４０  レール部材
４２  第１の支持フレーム
４４  第２の支持フレーム
４６  第１の支持部
４８  第２の支持部
５０  支持通路
５２  第４の支持部
５４  第５の支持部
５６ａ  第１の側
５６ｂ  第２の側
５８  スライドレール通路
６０  第１のレール
６２  第２のレール
６４  第１の側壁
６６  第２の側壁
６８  第１の部分
７０  第２の部分
７２  第３の部分
７４  第４の部分
７６  第５の部分
７８  第６の部分
８０  第７の部分
８２  第８の部分
【図１】
0006368752.tif 000002
【図２】
0006368752.tif 000003
【図３】
0006368752.tif 000004
【図４】
0006368752.tif 000005
【図５】
0006368752.tif 000006
【図６】
0006368752.tif 000007
【図７】
0006368752.tif 000008
【図８】
0006368752.tif 000009
【図９】
0006368752.tif 000010
【図１０】
0006368752.tif 000011
【図１１】
0006368752.tif 000012
【図１２】
0006368752.tif 000013
【図１３】
0006368752.tif 000014
【図１４】
0006368752.tif 000015
【図１５】
0006368752.tif 000016
【図１６】
0006368752.tif 000017
【図１７】
0006368752.tif 000018
【図１８】
0006368752.tif 000019
【図１９】
0006368752.tif 000020
【図２０】
0006368752.tif 000021
【図２１】
0006368752.tif 000022
【図２２】
0006368752.tif 000023
【図２３】
0006368752.tif 000024
【図２４】
0006368752.tif 000025
【図２５】
0006368752.tif 000026
【図２６】
0006368752.tif 000027
【図２７】
0006368752.tif 000028